(57)【要約】      （修正有）【課題】お玉を使用して、鍋の煮物を掬い上げ、あるいは煮物の上下を切り返す際、お玉の縁で、煮物を崩してしまうことがないようにする。【解決手段】お玉１の縁を、使用する鍋２の、内周面３に接する５ほどに浅く９することにより、この課題を解決する。【選択図】図１
0003141047.tif 000002
【実用新案登録請求の範囲】
【請求項１】
本体の深さを、その縁が、使用する鍋の内周面に接するほどに浅くしたお玉。
【考案の詳細な説明】
【技術分野】
【０００１】  本考案は、調理用具のお玉に関するものである。
【背景技術】
【０００２】  従来、鍋の煮物（調理物）を器に盛る場合、お玉等を使って掬い、器に盛っていた。また調理中、味を均一にするために、煮物の上下を切り返す必要がある。お玉を使う場合は、まず煮物を掬い上げ、次に返すという方法を取る。他に、鍋を両手に持ち、上下に揺すって反転させるという方法もある。
【考案の開示】
【考案が解決しようとする課題】
【０００３】  お玉で鍋の煮物を掬う場合（図２）、お玉４を鍋２の内周面３に沿って入れることが多いが、お玉の縁５が、煮物に当たり、崩してしまうことがあった（６）。また、お玉を使って、煮物の上下を切り返す場合も、掬い上げる際、同様に、煮物を崩しがちであった。【０００４】  また、鍋を両手に持って、上下に揺すって反転させる方法は（図３）、煮物や煮汁をこぼしてしまうことがあり、慣れていない人、手に力の入らない人には困難であった。【０００５】  煮物が崩れる原因を明らかにする前に、お玉の本体について、図４により説明する。お玉の本体４は、球面状の底面７と、縁５から成る。従って、縁と底面の最下部８によって、深さ９を形成している。【０００６】  従って、鍋の内周面からお玉を差し入れた場合（図２、イ、ロ）、お玉の縁５は、その深さ９だけ、鍋の内周面から離れることになる。この深さがあることによって生じる、切り立った縁が、煮物に当たり〔図２、イ６、ロ６（アミのせ部分）〕、煮物を掬い上げようとするたびに崩してしまうことになる。
【課題を解決するための手段】
【０００７】  そこで、お玉を次のような形状にすることによって、課題の解決を図った。それを図５によって説明する。１は本考案によるお玉であって、その縁を、使用する鍋の内周面３に接する（５）ほどに浅く（９）したものである。
【考案の効果】
【０００８】  本考案によるお玉の効果的な使用方法を、図６によって説明する。煮物を掬う場合は、お玉１を、鍋の向かい側の内周面に沿って差し入れ（イ）、鍋の底面に沿って手前に引き寄せ（ロ）、掬い上げる（ハ）。【０００９】  煮物の上下を反転させる場合は、次のような方法を取る。イ〜ハを、数回繰り返し、手前側に盛り上げる（ニ）。次に、手前側の内周面に沿ってお玉を差し入れ（ホ）。向こう側に押しやる（ヘ）。その後、平らに整える（ト）。これを調理中何回か繰り返せば、煮汁を均一に含ませることができる。【００１０】  このように、本考案のお玉を使用することにより、煮物を崩さず掬い上げることができ、また、煮物の上下を切り返す場合も、崩れを防ぐことができる。【００１１】  また、鍋を両手に持って、上下に揺すらなくても、煮物を容易に反転できるので、その方法に慣れない人、手に力の入らない人には大へん便利である。
【考案を実施するための最良の形態】
【００１２】  図１に示すように、お玉１の深さ９を、その縁が、鍋２の内周面３に接するほどに（５）浅くした形状とする。また、鍋の大きさ、内周面の形状は各種あるので、それらに対応できるよう、お玉の底面の曲率、大きを変えて、いくつか用意することが望ましい。
【図面の簡単な説明】
【００１３】
【図１】（イ）本考案によるお玉の左側面図である。（ロ）本考案によるお玉の正面図である。（ハ）本考案によるお玉を使用している鍋を、正面から見た断面図である。（ニ）本考案によるお玉を使用している鍋を、上面から見た図である。
【図２】（イ）従来のお玉を使用している鍋を、上面から見た図である。（ロ）従来のお玉を使用している鍋を、正面から見た断面図である。
【図３】鍋を両手に持ち、上下に揺すって煮物を反転させている図である。
【図４】従来のお玉の説明図である。
【図５】（イ）本考案によるお玉を使用している鍋を、上面から見た図である。（ロ）本考案によるお玉を使用している鍋を、正面から見た断面図である。
【図６】本考案によるお玉を使って、鍋の煮物を掬い上げ、さらに、煮物の上下を切り返す順序を示した図である。
【符号の説明】
【００１４】１  本考案によるお玉
２  鍋
３  鍋の内周面
４  従来のお玉
５  お玉の縁
６  煮物
７  お玉の底面
８  お玉の底面の最下部
９  お玉の深さ
【図１】
0003141047.tif 000003
【図２】
0003141047.tif 000004
【図３】
0003141047.tif 000005
【図４】
0003141047.tif 000006
【図５】
0003141047.tif 000007
【図６】
0003141047.tif 000008
【手続補正書】
【提出日】平成20年1月10日(2008.1.10)
【手続補正１】
【補正対象書類名】実用新案登録請求の範囲
【補正対象項目名】全文
【補正方法】変更
【補正の内容】
【実用新案登録請求の範囲】
【請求項１】
鍋の側面の曲面部及び、側面と底面の間に有する曲面部、それらの曲面部の内周面に、その縁が接するような曲面形状を有するお玉と、前記該鍋との組み合わせ。
【手続補正２】
【補正対象書類名】明細書
【補正対象項目名】全文
【補正方法】変更
【補正の内容】
【考案の詳細な説明】
【技術分野】
【０００１】本考案は、鍋と組み合わせるお玉に関するものである。
【背景技術】
【０００２】  従来、鍋の煮物を器に盛る場合、お玉等を使って掬い、器に盛っていた。また調理中、味を均一にするために、煮物の上下を切り返す必要がある。お玉を使う場合は、まず煮物を掬い上げ、次に返すという方法を取る。他に、鍋を両手に持ち、上下に揺すって反転させるという方法もある。
【考案の開示】
【考案が解決しようとする課題】
【０００３】  お玉で鍋の煮物を掬う場合（図２）、お玉４を鍋２の側面（ロ３）に沿って入れることが多いが、従来のお玉では、その縁５が、煮物に当たり（イ６、ロ６）、崩してしまうことがあった。また、従来のお玉を使って、煮物の上下を切り返す場合も、掬い上げる際、同様に、煮物を崩しがちであった。【０００４】  また、鍋を両手に持って、上下に揺すって反転させる方法は（図３）、煮物や煮汁をこぼしてしまうことがあり、慣れていない人、手に力の入らない人には困難であった。
【課題を解決するための手段】
【０００５】  そこで、お玉を鍋と組み合わせて、次のような形状にすることによって、課題の解決を図った。それを図１によって説明する。１は本考案によるお玉であって、その縁が、組み合わせる鍋２の、側面３の曲面部（ニ９）及び、側面と底面７の間に有する曲面部（ハ８）、それらの曲面部の内周面に接するような（ハ５、ニ５）曲面形状を有する（イ１０、ロ１１）ものとした。
【考案の効果】
【０００６】最初に、本考案によるお玉の効果的な使用方法を、図４によって説明する。煮物を掬う場合は、お玉１を、鍋の向かい側の側面に沿って差し入れ（イ）、鍋の底面に沿って手前に引き寄せ、（ロ）掬い上げる（ハ）。【０００７】  煮物の上下を反転させる場合は、次のような方法を取る。（イ）〜（ハ）を数回繰り返し、手前側に盛り上げる（ニ）。次に、手前側の側面に沿ってお玉を差し入れ（ホ）、向こう側に押しやる（ヘ）。その後、平らに整える（ト）。これを調理中何回か繰り返せば、煮汁を均一に含ませることができる。【０００８】  このように、本考案によるお玉は、組み合わせる鍋の側面から底面に沿って、煮物との隙間に差し入れることができる。従って、従来のお玉のように、その縁で煮物を崩すことなく掬い上げることができ、また、煮物の上下を切り返す場合も、同様に崩れを防ぐことができる。【０００９】  また、鍋を両手に持って、上下に揺すらなくても、煮物を容易に反転できるので、その方法に慣れない人、手に力の入らない人には大変便利である。
【考案を実施するための最良の形態】
【００１０】  図１に示すように、本考案によるお玉１は、その縁が、組み合わせる鍋２の、側面の曲面部（ニ９）及び、側面と底面の間に有する曲面部（ハ８）、それらの曲面部の内周面に接するような（ハ５、ニ５）曲面形状を有する（イ１０、ロ１１）ものとする。また、鍋のさまざまなサイズに対応するお玉を容易することとする。
【図面の簡単な説明】
【００１１】
【図１】（イ）本考案によるお玉の左側面図である。（ロ）本考案によるお玉の正面図である。（ハ）本考案によるお玉を使用している鍋を、正面から見た断面図である。（ニ）本考案によるお玉を使用している鍋を、上面から見た図である。
【図２】（イ）従来のお玉を使用している鍋を、上面から見た図である。（ロ）従来のお玉を使用している鍋を、正面から見た断面図である。
【図３】鍋を両手に持ち、上下に揺すって煮物を反転させている図である。
【図４】本考案によるお玉を使って、鍋の煮物を掬い上げ、さらに、煮物の上下を切り返す順序を示した図である。
【符号の説明】
【００１２】１  本考案によるお玉
２  鍋
３  鍋の側面
４  従来のお玉
５  お玉の縁
６  崩れた煮物
７  鍋の底面
８  鍋の側面と底面の間に有する曲面部
９  鍋の側面の曲面部
１０  本考案によるお玉の曲面部の縦断面
１１  本考案によるお玉の曲面部の横断面
【手続補正３】
【補正対象書類名】図面
【補正対象項目名】全図
【補正方法】変更
【補正の内容】
【図１】
0003141047.tif 000009
【図２】
0003141047.tif 000010
【図３】
0003141047.tif 000011
【図４】
0003141047.tif 000012